(57)【要約】【課題】  ほぼ全閉状態にあるシールド４の内側面を頭部保護体２の窓孔３の縁部分８に良好に密着させるための調整操作を比較的簡単にかつ比較的正確に行うことができるヘルメット１のシールド取付け機構６を提供する。【解決手段】  シールド４の少なくともほぼ全閉状態において固定側基材１３のストッパ手段４２によって位置保持される可動側基材１４の被ストッパ手段１０４ａ〜１０４ｅの保持位置を可動側基材１４のほぼ前後進の方向における複数の箇所のうちのいずれか１つに選択することができるように構成されている。【選択図】図１６
2014234568.tif 000002
【特許請求の範囲】
【請求項１】
頭部保護体に取付けられるシールド取付け基材と、その左側または右側の端部付近が上記シールド取付け基材に回動可能に取付けられるシールドとを備え、
上記シールド取付け基材が、上記頭部保護体に取付けられる固定側基材と、この固定側基材に対してほぼ前後進可能に往復動し得るように、上記固定側基材に取付けられる可動側基材とを備え、
上記シールドが、上記可動側基材にほぼ回動可能に支持されることができるヘルメットのシールド取付け機構において、
上記固定側基材が、ストッパ手段を備え、
上記可動側基材が、上記シールドの少なくとも全閉状態においては上記ストッパ手段によって位置保持されることができる被ストッパ手段を備え、
上記少なくともほぼ全閉状態において上記ストッパ手段によって位置保持される上記被ストッパ手段の保持位置を上記可動側基材の上記ほぼ前後進の方向における複数の箇所のうちのいずれか１つに選択することによって、上記少なくともほぼ全閉状態における上記頭部保護体に対する上記シールドの上記ほぼ前後進の方向における上記保持位置を選択することができるように構成したことを特徴とするシールド取付け機構。
【請求項２】
上記可動側基材が、上記固定側基材に対してほぼ前後進可能にほぼ直線往復動し得るように構成したことを特徴とする請求項１に記載のシールド取付け機構。
【請求項３】
上記可動側基材を上記固定側基材に対してほぼ後方に向って弾性的に付勢することができる弾性付勢手段をさらに備え、
上記少なくともほぼ全閉状態においては、上記可動側基材が上記弾性付勢手段によって弾性的に付勢されて復動位置に保持されることによって、上記被ストッパ手段が上記ストッパ手段に当接するように構成したことを特徴とする請求項１または２に記載のシールド取付け機構。
【請求項４】
上記可動側基材および上記固定側基材のうちのいずれか一方に回動可能に取付けられたシールド位置調整用の回動操作部材を備え、
上記可動側基材および上記固定側基材のうちの上記いずれか一方に設けられた回動防止手段を備え、
上記可動側基材および上記固定側基材のうちのいずれか他方に設けられた前後進位置決め手段を備え、
上記回動操作部材が、上記前後進位置決め手段と選択的に係合するための複数個の第１の凹凸係合手段と、上記回動防止手段と選択的に係合するための複数個の第２の凹凸係合手段とを備え、
上記前後進位置決め手段が上記複数個の第１の凹凸係合手段のうちのいずれかに選択的に係合することによって、上記シールドの上記ほぼ前後方向における上記保持位置を選択することができるとともに、上記回動防止手段が上記複数個の第２の凹凸係合手段のうちのいずれか１つに選択的に係合することによって、上記回動操作部材の不要な回動が防止されることができるように構成したことを特徴とする請求項１、２または３に記載のシールド取付け機構。
【請求項５】
シールドのほぼ全閉状態のときとほぼ全開状態のときとのみに、上記被ストッパ手段が上記ストッパ手段によって位置保持されるように構成したことを特徴とする請求項１〜４のうちのいずれか１つに記載のシールド取付け機構。
【請求項６】
上記シールドが、このシールドの左側部分および右側部分のうちの少なくとも一方の下端部付近に設けられた指掛け部を備え、
上記指掛け部が、ほぼ後方側からほぼ前方側に向かって下方に傾斜するように構成したことを特徴とする請求項１〜５のうちのいずれか１つに記載のシールド取付け機構。
【請求項７】
カム面が、上記固定側基材および上記シールドのうちのいずれか一方に設けられ、
カム用ならい部が、上記固定側基材および上記シールドのうちのいずれか他方に設けられ、
ほぼ全閉状態にある上記シールドをほぼ上昇させる力が上記シールドに加わったときに、上記カム用ならい部が上記カム面に相対的にならうことによって、上記シールドがほぼ前方にも往動し得るように構成したことを特徴とする請求項１〜６のうちのいずれか１つに記載のシールド取付け機構。
【請求項８】
上記カム面が、上記シールドをほぼ全閉位置に保持するためのストッパ用凹部と、上記シールドをほぼ前方に往動させるための傾斜面と、上記シールドを段階的に保持するためのクリック用歯部とを備えていることを特徴とする請求項７に記載のシールド取付け機構。
【請求項９】
上記シールドを上記可動側基材から取外すために操作されるシールド着脱用操作部材が、上記可動側基材に往復動可能に配設され、
上記シールドをほぼ全開状態まで往回動させてから上記シールド着脱用操作部材を往動させることによって、上記シールドの取外し可能状態が得られるように構成したことを特徴とする請求項１〜８のうちのいずれか１つに記載のシールド取付け機構。
【発明の詳細な説明】
【技術分野】
【０００１】
本発明は、頭部保護体に取付けられるシールド取付け基材と、その左側または右側の端部付近が上記シールド取付け基材に回動可能に取付けられるシールドとを備え、上記シールド取付け基材が、上記頭部保護体に取付けられる固定側基材と、この固定側基材に対してほぼ前後進可能に往復動し得るように、上記固定側基材に取付けられる可動側基材とを備え、上記シールドが、上記可動側基材にほぼ回動可能に支持されることができるヘルメットのシールド取付け機構に関するものである。
【背景技術】
【０００２】
上述のように構成されたシールド取付け機構を左右一対備えているフルフェイス型ヘルメットは、特許文献１に開示されている。そして、この特許文献１のシールド取付け機構においては、カム面が、上記シールドに設けられるとともに、カム用ならい部が、上記カム面に当接し得るように、上記固定側基材に設けられている。また、全閉状態にある上記シールドにほぼ上昇方向への力が加わったときに、上記カム用ならい部が上記カム面に相対的にならうことによって、上記シールドが上記可動側基材をともなってほぼ前方に往動し得るように構成されている。
したがって、特許文献１のシールド取付け機構によれば、シールドが頭部保護体の窓孔用縁部材などに引っ掛からないで上昇することができる。また、シールド取付け機構の構造が比較的簡単であるにもかかわらず、全閉状態にあるシールドを上方に引き上げる操作を行うだけでもって、シールドを前方に引き出してから上昇させることができるから、全閉位置にあるシールドを上昇させる操作が比較的簡単かつ比較的確実であり、また、誤操作の恐れがない。
【先行技術文献】
【特許文献】
【０００３】
【特許文献１】特開２００７−３３２５２４号公報
【発明の概要】
【発明が解決しようとする課題】
【０００４】
しかし、特許文献１のシールド取付け機構の場合には、頭部保護体の窓孔に取付けられる窓孔用縁部材にシールドの内側面をこのシールドの全閉状態において良好に密着させるようにするための調整操作が、面倒である。すなわち、この調整操作においては、シールドをシールド取付け機構から予め取外した後に、上記固定側基材を頭部保護体に取付けている２個の雄ねじ部材のねじ込みを緩めてから、頭部保護体に対する固定側基材の前後方向における取付け位置を調整する必要があった。そして、この調整操作を１回行うだけでもって、シールドの内側面を窓孔用縁部材に良好に密着させるようにすることは、比較的困難であった。
【０００５】
本発明は、特許文献１に開示されているヘルメットのシールド取付け機構における上述のような欠点を、比較的簡単な構成でもって、効果的に是正し得るようにしたものである。
【課題を解決するための手段】
【０００６】
本発明は、頭部保護体に取付けられるシールド取付け基材と、その左側または右側の端部付近が上記シールド取付け基材に回動可能に取付けられるシールドとを備え、上記シールド取付け基材が、上記頭部保護体に取付けられる固定側基材と、この固定側基材に対してほぼ前後進可能に往復動し得るように、上記固定側基材に取付けられる可動側基材とを備え、上記シールドが、上記可動側基材にほぼ回動可能に支持されることができるヘルメットのシールド取付け機構において、上記固定側基材が、ストッパ手段を備え、上記可動側基材が、上記シールドの少なくともほぼ全閉状態においては上記ストッパ手段によって位置保持されることができる被ストッパ手段を備え、上記少なくともほぼ全閉状態において上記ストッパ手段によって位置保持される上記被ストッパ手段の保持位置を上記可動側基材の上記ほぼ前後進の方向における複数の箇所のうちのいずれか１つに選択することによって、上記少なくとも全閉状態における上記頭部保護体に対する上記シールドの上記ほぼ前後進の方向における上記保持位置を選択することができるように構成したことを特徴とするシールド取付け機構に係るものである。
【０００７】
そして、本発明においては、上記可動側基材が、上記固定側基材に対してほぼ前後進可能にほぼ直線往復動し得るように構成されていてよい。また、本発明においては、上記可動側基材を上記固定側基材に対してほぼ後方に向って弾性的に付勢することができる弾性付勢手段をさらに備え、上記少なくとも全閉状態においては、上記可動側基材が上記弾性付勢手段によって弾性的に付勢されて復動位置に保持されることによって、上記被ストッパ手段が上記ストッパ手段に当接するように構成されていてよい。
【０００８】
そして、本発明においては、上記可動側基材および上記固定側基材のうちのいずれか一方に回動可能に取付けられたシールド位置調整用の回動操作部材を備え、上記可動側基材および上記固定側基材のうちのいずれか他方に設けられた前後進位置決め手段を備え、上記回動操作部材が、上記前後進位置決め手段と選択的に係合するための複数個の第１の凹凸係合手段と、上記回動防止手段と選択的に係合するための複数個の第２の凹凸係合手段とを備え、上記前後進位置決め手段が上記複数個の第１の凹凸係合手段のうちのいずれかに選択的に係合することによって、上記シールドの上記ほぼ前後方向における上記保持位置を選択することができるとともに、上記回動防止手段が上記複数個の第２の凹凸係合手段のうちのいずれか１つに選択的に係合することによって、上記回動操作部材の不要な回動が防止されることができるように構成されることができる。また、本発明においては、シールドのほぼ全閉状態のときとほぼ全開状態のときとのみに、上記被ストッパ手段が上記ストッパ手段によって位置保持されるように構成されることができる。
【０００９】
そして、本発明においては、上記シールドが、このシールドの左側部分および右側部分のうちの少なくとも一方の下端部付近に設けられた指掛け部を備え、上記指掛け部が、ほぼ後方側からほぼ前方側に向かって下方に傾斜するように構成されることができる。また、本発明においては、カム面が、上記固定側基材および上記シールドのうちのいずれか一方に設けられ、カム用ならい部が、上記固定側基材および上記シールドのうちのいずれか他方に設けられ、ほぼ全閉状態にある上記シールドをほぼ上昇させる力が上記シールドに加わったときに、上記カム用ならい部が上記カム面に相対的にならうことによって、上記シールドがほぼ前方にも往動し得るように構成されることができる。この場合、上記カム面が、上記シールドをほぼ全閉位置に保持するためのストッパ用凹部と、上記シールドをほぼ前方に往動させるための傾斜面と、上記シールドを段階的に保持するためのクリック用歯部とを備えるように構成されることができる。また、本発明においては、上記シールドを上記可動側基材から取外すために操作されるシールド着脱用操作部材が、上記可動側基材に往復動可能に配設され、上記シールドをほぼ全開状態まで往回動させてから上記シールド着脱用操作部材を往動させることによって、上記シールドの取外し可能状態が得られるように構成されることができる。
【００１０】
本発明によれば、シールドの内側面をこのシールドのほぼ全閉状態において頭部保護体の窓孔の縁部分に良好に密着させるための調整操作が比較的簡単であるとともに、上記調整操作を比較的正確に行うことができる。また、請求項２に係る発明によれば、シールドの上昇および下降の動作が比較的簡単で比較的確実である。
【００１１】
そして、請求項３に係る発明によれば、比較的簡単な構造でもって、可動側基材を固定側基材に対して比較的確実に復動位置に保持することができる。また、請求項４に係る発明によれば、さらに簡単な構造でもって、前記調整操作をさらに正確に行うことができる。
【００１２】
そして、請求項５に係る発明によれば、シールドをほぼ全閉状態とほぼ全開状態との中間の状態に持ち来す動作が比較的簡単であるから、シールドの開閉のための機構の構造を比較的簡単にすることができる。また、請求項６に係る発明によれば、シールドをほぼ上昇させるための力を指掛け部に加えるだけでもって、この指掛け部をほぼ前方に移動させる力がこの指掛け部に加わるので、シールドを上昇させる操作が比較的簡単である。
【００１３】
そして、請求項７に係る発明によれば、全閉状態にあるシールドを上方に持ち上げる操作を行うだけでもって、シールドを前方に引き出してから上昇させることができるから、全閉状態にあるシールドを上昇させる操作が比較的簡単であるとともに、シールドを比較的確実に上昇および下降させることができる。また、請求項８に係る発明によれば、全閉状態にあるシールドが上昇する動作がさらに確実であるとともに、シールドが下降する動作も確実である。さらに、請求項９に係る発明によれば、シールドの取外し操作を比較的簡単にかつ比較的確実に行うことができる。
【図面の簡単な説明】
【００１４】
【図１】本発明をフルフェイス型ヘルメットのシールド取付け機構に適用した一実施例におけるシールドの全閉状態でのヘルメット全体の概略的な左側面図である。（実施例１）
【図２】図１のシールド取付け機構を示すヘルメットの要部の拡大左側面図である。（実施例１）
【図３】シールドの１段階開放状態での図２と同様の拡大左側面図である。（実施例１）
【図４】シールドの２段階開放状態での図２と同様の拡大左側面図である。（実施例１）
【図５】シールドの全開状態での図２と同様の拡大左側面図である。（実施例１）
【図６】シールド着脱用操作レバーを往回動操作した状態での図５と同様の拡大左側面図である。（実施例１）
【図７】シールド位置調整用操作ボタンを往回動操作した状態での図４と同様の拡大左側面図である。（実施例１）
【図８】シールドを図７に示す状態から全閉状態にした図２と同様の拡大左側面図である。（実施例１）
【図９】図１のシールド取付け機構の分解正面図である。（実施例１）
【図１０】図９に示す可動側基材の拡大正面図である。（実施例１）
【図１１】シールド取付け機構が頭部保護体に組み込まれる以前の状態でのヘルメットの図２と同様の拡大左側面図である。（実施例１）
【図１２】シールド取付け機構のうちの固定側基材が頭部保護体に組み込まれた状態でのヘルメットの図１１と同様の拡大左側面図である。（実施例１）
【図１３】シールド取付け機構のうちの固定側基材および可動側基材が頭部保護体に組み込まれた状態でのヘルメットの図１１と同様の拡大左側面図である。（実施例１）
【図１４】シールドを取外した状態でのヘルメットの図２と同様の拡大左側面図である。（実施例１）
【図１５】図２に示すシールド取付け機構の拡大左側面図である。（実施例１）
【図１６】図１５に示すシールド取付け機構の一部分の拡大左側面図である。（実施例１）
【図１７】図８に示すシールド取付け機構の一部分の拡大左側面図である。（実施例１）
【図１８】シールド位置調整用回動操作ボタンを図１６に示す状態と図１７に示す状態との中間の状態にしたときのシールド取付け機構の一部分の拡大左側面図である。（実施例１）
【図１９】図１６に示す状態において固定側基材の取付け位置を変更したときのシールド取付け機構の一部分の拡大左側面図である。（実施例１）
【図２０】図１６におけるＡ−Ａ線に沿った断面図である。（実施例１）
【発明を実施するための最良の形態】
【００１５】
つぎに、本発明をフルフェイス型ヘルメットのシールド取付け機構に適用した一実施例を、「１、ヘルメット全体の概略的構成」、「２、シールド取付け機構の構成」および「３、シールド取付け機構の動作」に項分けして、図１〜図２０を参照しつつ説明する。
【００１６】
１、ヘルメット全体の概略的構成
【００１７】
フルフェイス型ヘルメット１は、図１に示すように、自動二輪車のライダなどのヘルメット装着者の頭部に装着されるフルフェイス型の頭部保護体２と、ヘルメット装着者の額部と顎部との間（すなわち、顔面の中央部分）に対向するように頭部保護体２の前面に形成された窓孔３を開閉し得るシールド４と、頭部保護体２の内側にそれぞれ取付けられた左右一対の顎掛け用バンド（図示せず）とから成っている。そして、頭部保護体２のうちのヘルメット装着者の顎部、額部などとそれぞれ対向する部分には、頭部保護体２内の換気を行うための１個または複数個のベンチレータ（図示せず）が必要に応じてそれぞれ設けられている。また、ヘルメット１には、シールド４が風防のためなどに設けられている。そして、シールド４は、必要に応じて、透光性を特に阻害しないように着色されることによって日よけ（すなわち、バイザー）を兼用することもできる。また、シールド４は、ポリカーボネート、その他の合成樹脂などの透明または半透明の硬質材料から成っていてよい。さらに、シールド４の左右両側部付近は、左右一対のシールド取付け機構６によって、頭部保護体２の外周壁を構成する外側シェル５に回動自在にそれぞれ取付けられている。
【００１８】
図１および図２に示すシールド４の内側面には、ポリカーボネート、その他の合成樹脂などの透明または半透明の硬質材料から成っていてよい防曇用の補助シールド（図示せず）が、シールド４に対して僅かな間隙を有するようにかつ着脱自在に、取付けられていてよい。そして、上記防曇用補助シールドの取付けのために、シールド４の内側面の左右両側部分の中央部分よりも多少下方には、係合用のリング状溝をそれぞれ有する左右一対の係合ピン（図示せず）が、ねじ込みなどによって、それぞれ取付け固定されていてよい。また、上記防曇用補助シールドの左右両端部のそれぞれのほぼ上下方向における中央部分よりも多少下方には、左右一対の舌片部がそれぞれ突設されていてよい。さらに、これら左右一対の舌片部には、後方に向ってそれぞれ開口している左右一対の係合用スリットがそれぞれ形成されていてよい。そして、上記左右一対の係合ピンをこれら左右一対の係合用スリットにそれぞれ嵌合させることによって、上記防曇用補助シールドがシールド４の内側面に取付けられていてよい。また、上記防曇用補助シールドがシールド４に対して上記僅かな間隙を保持するとともに、この間隙を気密に保持するために、シリコンゴムなどの弾性材料から成るパッキン用突条部（図示せず）が、上記防曇用補助シールドの外側面のうちの上記左右一対の舌片部を除く領域の外周囲に沿って、ループ状に形成されていてよい。
【００１９】
外側シェル５は、周知のように、ＦＲＰ、その他の合成樹脂などの強度の大きい硬質材料から成っていてよい。また、図１に示すように、頭部保護体２の窓孔３を形成するために外側シェル５に形成された窓孔７のほぼ全周囲にわたって、接着剤、両面接着テープなどによる接着などによって、周知のように断面がほぼＵ字状、ほぼＥ字状などの窓孔用縁部材８が取付けられている。そして、図１および図１１に示すように、窓孔７の下端部に沿って窓孔用縁部材８の下端部にほぼ水平に連設されている突状部８ａは、全閉位置にあるシールド４の下端部が当接するように構成されている。さらに、外側シェル５の下端部のほぼ全周囲にわたって、接着剤、両面接着テープなどによる接着などによって、断面がほぼＵ字状などの下端用縁部材１１が取付けられている。なお、窓孔用縁部材８は、周知のように、合成ゴム、その他の可撓性に富んだ弾性材料から成っていてよい。また、下端用縁部材１１は、周知のように、発泡塩化ビニール、合成ゴム、その他の軟質合成樹脂などの軟質材料から成っていてよい。さらに、図１において、符号１２は、ヘルメット装着者がシールド４を上方および下方に往復回動させる際に指を掛けるために、シールド４の左側の部分の下端部に一体的に設けられた指掛け部である。なお、指掛け部１２は、ほぼ後方側からほぼ前方側に向って次第に下方に傾斜している。このために、ヘルメット装着者などの指で指掛け部１２をほぼ上方に押圧すれば、この押圧力は前方に向う分力を生じるので、シールド４には、ほぼ上方へ向う第１の力とほぼ前方へ向う第２の力との両方の力が加わることになる。
【００２０】
右側（ヘルメットの前面に向って左側）のシールド取付け機構６は、左側のシールド取付け機構６とは左右対称的に構成されている。したがって、以下において、右側のシールド取付け機構６についての説明を省略して、左側のシールド取付け機構６についてのみ説明する。
【００２１】
２、シールド取付け機構の構成
【００２２】
左側のシールド取付け機構６は、図９に示すように、
（ａ）固定側の基材１３および可動側の基材１４を含みかつシールド４を頭部保護体２に取付けるのに用いられるシールド取付け基材１５、
（ｂ）シールド４を可動側基材１４から取外すときに操作され、場合によってはシールド４を可動側基材１４に取付けるときにも操作されるシールド着脱用操作レバー１６、
（ｃ）シールド４の全閉位置をほぼ前後方向に微調整するときに操作される偏平なほぼ円柱形状、ほぼボタン形状などのシールド位置調整用の回動操作ボタン（換言すれば、シールド位置調整用操作部材としての回動操作用ロータ、回動操作用セレクタなどの回動操作部材）１７、
（ｄ）可動側基材１４にその左側端部付近を着脱可能に取付けられることができるシールド４、
を含んでいる。したがって、以下において、左側のシールド取付け機構６の構成を、「（１）固定側基材」、「（２）可動側基材」、「（３）シールド着脱用操作レバー」、「（４）回動操作ボタン」、「（５）シールド」および「（６）シールド取付け機構の組み立て」に項分けして、図１〜図２０を参照しつつ説明する。なお、固定側基材１３、可動側基材１４、シールド着脱用操作レバー１６および回動操作ボタン１７のそれぞれは、ポリアセタール樹脂などの合成樹脂などの適当な材料から成っていてよい。
【００２３】
（１）固定側基材
【００２４】
シールド取付け基材１５の固定側基材１３は、図９および図１２に示すように、大きな中央貫通口２１を有する大よそ三角形状の枠構造に構成されている。そして、固定側基材１３は、大きな中央貫通口２１を有することを除いて、大よそ板状体の形状に構成されている。また、この固定側基材１３は、上下２ヶ所のねじ挿通孔２２ａ、２２ｂに挿通される一対の雄ねじ部材２３ａ、２３ｂによって、図１１に示す頭部保護体２に図１２に示すように取付け固定される。なお、外側シェル５の窓孔７の後方側（すなわち、図１１における右側）には、図１１に示すように、上下一対の雌ねじ部材２４ａ、２４ｂがそれぞれ埋設固定されている。そして、一対の雄ねじ部材２３ａ、２３ｂが、固定側基材１３の上記取付け固定のために、固定側基材１３の外側面からこれら一対の雌ねじ部材２４ａ、２４ｂのねじ孔２５ａ、２５ｂにそれぞれねじ込み固定されている。さらに、固定側基材１３は、外側シェル５の外周面の湾曲形状にほぼ一致するように、この固定側基材１３の内側面がその外側面に向って多少盛り上がった湾曲形状であるのが好ましい。そして、このような湾曲形状は、可動側基材１４も同様に有しているのが好ましい。
【００２５】
固定側基材１３には、図９に示すように、上下一対の雄ねじ部材２３ａ、２３ｂ（換言すれば、これら上下一対の雄ねじ部材２３ａ、２３ｂがそれぞれ挿通される上下一対のねじ挿通孔２２ａ、２２ｂ）のそれぞれを取り囲むように、肉厚部分からそれぞれ構成された上下一対の高位部２８ａ、２８ｂが形成されている。そして、これらの高位部２８ａ、２８ｂには、上下一対のねじ挿通孔２２ａ、２２ｂのそれぞれのほぼ上下両側の箇所において、断面がそれぞれほぼＵ字状の上下一対のガイド溝２６ａ、２６ｂおよび上下一対のガイド溝２７ａ、２７ｂがそれぞれ形成されている。この場合、これら上側のガイド溝２６ａ、２７ａのそれぞれの深さ方向は、ほぼ上方からほぼ下方に向う方向であってよい。そして、これら下側のガイド溝２６ｂ、２７ｂのそれぞれの深さ方向は、ほぼ下方からほぼ上方に向う方向であってよい。また、固定側基材１３の外側面には、上下一対の雄ねじ部材２３ａ、２３ｂのそれぞれのほぼ後方側の箇所において、弾性付勢手段としての上下一対の反撥用コイルスプリング３１ａ、３１ｂをそれぞれ収容するための上下一対のスプリング収容用の凹部３２ａ、３２ｂがそれぞれ形成されている。そして、これら上下一対の凹部３２ａ、３２ｂのほぼ前方側の側壁部には、スプリング係合用の突起部３３ａ、３３ｂがそれぞれ形成されている。
【００２６】
固定側基材１３の上端部付近には、図９に示すように、肉厚部分から構成された高位部３４が形成されている。そして、高位部３４の下端面には、後端から前端に向って途中まで延在している下向きのガイド溝３５が形成されている。また、固定側基材１３の前側の中間部分付近には、中央貫通孔２１と固定側基材１３の前端部との間に位置するように、肉厚部分から構成された高位部３６が形成されている。そして、この高位部３６の前側の端部には、１個または複数個（図示の場合には、６個）の歯を有していてほぼ波形状でかつ全体としてほぼ円弧状であってよい肉薄のクリック用歯部３７が内側面側で凹んでいるひさし構造で突設されている。また、高位部３６の下側でかつ前側の端部には、シールド４を段階的に保持するためのクリック用歯部３７の下方に連なるように、傾斜面３８ｂを備えたカム部３８が配設されている。さらに、カム部３８のうちのクリック用歯部３７とは反対側の端部（換言すれば、下側端部）は、ストッパ用の凹部３８ａを構成している。そして、固定側基材１３には、シールド４（具体的には、後述の第３の被ガイド部１２３）のためのカム面３９がクリック用歯部３７、カム部３８およびストッパ用凹部３８ａによって構成されている。また、固定側基材１３の下端部付近には、回動操作部材１７を逃げるための凹み部４１が斜め下方で斜め前方を向くように形成されている。さらに、凹み部４１の下端付近には、凹み部４１に向って突出するようにこの凹み部４１に臨んでいるストッパ手段および前後進位置決め手段としてのストッパ部４２が配設されている。
【００２７】
（２）可動側基材
【００２８】
シールド取付け基材１５の可動側基材１４は、図９、図１０および図１３に示すように、固定側基材１３の外周囲をほぼ一回り大きくした外周囲を有していて、固定側基材１３よりも大きいほぼ板状体形状に構成されている。そして、可動側基材１４には、図９および図１０に示すように、上下一対の貫通口５１ａ、５１ｂがそれぞれ形成されている。また、上側の貫通孔５１ａには、図１３に示すように、固定側基材１３のうちのほぼ上方にある上下一対のガイド溝２６ａ、２６ｂが形成されている高位部２８ａが挿入されることができる。さらに、下側の貫通孔５１ｂには、固定側基材１３のうちのほぼ下方にある上下一対のガイド溝２７ａ、２７ｂが形成されている高位部２８ｂが挿入されることができる。そして、上側の貫通口５１ａの周壁部には、この周壁部の上下両側の側壁部のそれぞれの前側部分において、上下一対の被ガイド用の突条部５２ａ、５２ｂがそれぞれ形成されるとともに、この周壁部の後方側の側壁部において、上側の反撥用コイルスプリング３１ａが係合するためのスプリング係合用突起部５０ａが形成されている。また、下側貫通孔５１ｂの周壁部には、この周壁部の上下両側の側壁部のそれぞれの前側部分において、上下一対の被ガイド用の突条部５３ａ、５３ｂがそれぞれ形成されるとともに、この周壁部の後方側の側壁部において、下側の反撥用コイルスプリング３１ｂが係合するためのスプリング係合用突起部５０ｂが形成されている。
【００２９】
可動側基材１４には、図１０に示すように、この可動側基材１４の上端部の前方側に隣接して、ほぼ円弧状の第１のガイド部５４が形成されている。なお、第１のガイド部５４は、この第１のガイド部５５の内側面を凹ませることによって、肉薄に形成されている。そして、可動側基材１４には、この第１のガイド部５４の下方側の端部の内側面側に隣接して、ほぼ円弧状のガイド用スリット５５が形成されている。したがって、ガイド部５４は、可動側基材１４の面方向にひさし構造で突出している。また、可動側基材１４には、上側の貫通孔５１ａの上方側の箇所において、ほぼ円弧状の第２のガイド部５６が形成されている。なお、この第２のガイド部５６は、その内側面を凹ませることによって、肉薄に形成されている。そして、可動側基材１４には、この第２のガイド部５６の前方側の端部の内側面側に隣接して、ほぼ円弧状のガイド用スリット５７が形成されている。したがって、第２のガイド部５６は、可動側基材１４の面方向にひさし構造で突出している。さらに、可動側基材１４の前方側の上端部には、ガイド用突条部５８が突設されている。
【００３０】
上側の貫通孔５１ａと下側の貫通孔５１ｂとの間には、図１０に示すように、中間の貫通孔６１が形成されている。そして、上側の貫通孔５１ａと中間の貫通孔６１との間には、ほぼ円弧状の第３のガイド部６２が形成されている。なお、第３のガイド部６２は、この第３のガイド部６２の内側面を凹ませることによって、肉薄に形成されている。そして、可動側基材１４には、この第３のガイド部６２のうちの貫通孔５１ａ側の端部の内側面側に隣接して、ほぼ円弧状のガイド用スリット６３が形成されている。したがって、第３のガイド部６２は、可動側基材１４の面方向にひさし構造で突出している。さらに、ほぼ円弧状の第２のガイド部５６の仮想の円の中心と、ほぼ円弧状の第３のガイド部６２の仮想の円の中心とのそれぞれは、図１０に示す共通の中心点Ｃ１とほぼ一致しているのが好ましい。なお、図１０に示す符号６４は、中間の貫通孔６１の斜め下方側でかつ斜め後方側に隣接している傾斜面である。そして、傾斜面６４は、中間の貫通孔６１と、この傾斜面６４を介してこの貫通孔６１に隣接している帯状の高位部６５との間を、斜め下方側から斜め上方側に向って幅方向に傾斜するように延在している。
【００３１】
可動側基材１４には、図１０に示すように、上側貫通孔５１ａのほぼ前方側において、ほぼ円弧状の第４のガイド部６６が形成されている。そして、ほぼ円弧状の第４のガイド部６６の仮想の円の中心と、ほぼ円弧状の第３のガイド部６２との仮想の円の中心とのそれぞれは、図１０に示す共通の中心Ｃ１とほぼ一致しているのが好ましい。また、第４のガイド部６６の仮想の円の半径（すなわち、内径および外径のそれぞれ）は、第３のガイド部６２の仮想の円の半径（すなわち、内径および外径のそれぞれ）とほぼ一致しているのが好ましい。そして、第４のガイド部６６の自由端と、第３のガイド部６２の自由端との間には、間隙６７が形成されている。また、第４のガイド部６６の先端部の前方側の角部には、ほぼ三角形状であってよいひさし構造の第１の係合部６８が形成されている。さらに、第３のガイド部６２および第４のガイド部６６のそれぞれの中心点Ｃ１側には、ほぼ円弧状の第１および第２のガイド溝７１、７２が形成されている。
【００３２】
可動側基材１４には、図１０に示すように、第１の係合部６８のほぼ前方に隣接した箇所において、シールド着脱用操作レバー１６の取付けのための貫通孔（すなわち、取付け孔）７３が配設されている。そして、可動側基材１４には、貫通孔７３のほぼ前方でほぼ斜め上方に隣接した箇所において、ほぼ扇形状であってよいひさし構造の第２の係合部７４が配設されている。また、可動側基材１４には、貫通孔７３の多少下方の箇所において、反撥用コイルスプリング７５を収容するためのスプリング収容用開孔７６が形成されている。そして、このスプリング収容用開孔７６のほぼ前方側の壁部には、スプリング係合用の突起部７７が形成されている。また、可動側基材１４の前端部の内側面には、下側貫通孔５１ｂのほぼ前方側の箇所において、長手状でかつほぼ直線形状であってよい突壁部７８が配設されている。さらに、可動側基材１４の下端でかつ前端の付近には、回動操作ボタン１７を取付けるための取付け開孔７９が形成されている。なお、この取付け開孔７９については、後述の「（４）回動操作ボタン」の項において、詳述する。
【００３３】
（３）シールド着脱用操作レバー
【００３４】
シールド着脱用操作部材として機能するシールド着脱用操作レバー１６は、図９および図１４に示すように、長手状のほぼ細板形状に構成されている。そして、シールド着脱用操作レバー１６の大よそ中間の部分には、ねじ挿入孔が形成されている回動軸部８１が設けられている。また、この操作レバー１６は、回動軸部８１を可動側基材１４の貫通孔７３に可動側基材１４の外側面から挿入した後に、可動側基材１４の内側面から前記ねじ挿入孔に抜け止め部材（図示せず）を介して雄ねじ部材（図示せず）をねじ込み固定することによって、可動側基材１４に回動可能に取付けられることができる。
【００３５】
シールド着脱用操作レバー１６は、図９および図１４に示すように、回動軸部８１よりも上方側の箇所に第１の係止用の爪部８３を有するとともに、回動軸部８１よりも下方側の箇所に第２の係止用の爪部８４を有している。なお、これら第１および第２の係止用爪部８３、８４は、これらの係止用爪部８３、８４の内側面を凹ませることによってそれぞれ肉薄に構成されるとともに、これらの係止用爪部８３、８４の外側面が基端側から先端側に向ってその内側面側にそれぞれ傾斜していて厚みが次第に小さくなっているのが好ましい。したがって、第１および第２の係止用爪部８３、８４は、操作レバー１６の面方向にひさし構造でそれぞれ突出している。また、操作レバー１６には、第２の係止用爪部８４の下方付近において、第３の係止用爪部８５が形成されている。なお、この第３の係止用爪部８５は、その外側面側が欠如されていてその内側面側のみから肉薄に構成されている。そして、この係合用爪部８５は、図１４に示すように、可動側基材１４からの操作レバー１６の浮上りを防止するために、可動側基材１４のほぼ円弧状のガイド部６２に係止される。さらに、シールド着脱用操作レバー１６のほぼ上端部には、図９および図１４に示すように、その外側面を凹ませることによって肉薄になっているほぼ円弧状の被ガイド部９１が形成されている。
【００３６】
シールド着脱用操作レバー１６の下端部には、図９に示すように、この操作レバー１６を往回動させる際に指を掛けることができるリング状の指掛け部９２が操作レバー１６と一体的に形成されている。また、シールド着脱用操作レバー１６の内側面には、回動軸部８１と指掛け部９２との間において、その内側面だけではなくて前方側にも開放されているスプリング収容用の凹部９３が可動側基材１４のスプリング収容用開孔７６に対向するように形成されている。そして、このスプリング収容用凹部９３の後方側の側壁部には、スプリング係合用の突起部９４が形成されている。さらに、可動側基材１４のスプリング収容用開孔７６およびシールド着脱用操作レバー１６のスプリング収容用凹部９３には、図１４に示すように、共通の反撥用コイルスプリング７５がこのスプリング７５の両端部をスプリング係合用突起部７７、９４にそれぞれ係合させた状態で収容される。
【００３７】
シールド着脱用操作レバー１６の前側には、図９に示すように、第１の係止用爪部８３と回動軸部８１との間において、第４の係止用爪部９５が操作レバー１６と一体的に形成されている。なお、この第４の係止用爪部９５は、その外側面側が欠如されていてその内側面側のみから肉薄に構成されている。そして、シールド着脱用操作レバー１６の後側面には、回動軸部８１と第２の係止用爪部８４との間において、第５の係止用爪部９６が操作レバー１６と一体的に形成されている。なお、この第５の係止用爪部９６も、その外側面側が欠如していてその内側面側のみから肉薄に構成されている。そして、これら第４および第５の係止用爪部９５、９６のそれぞれは、可動側基材１６からの操作レバー１６の浮上りを防止するために、図１４に示すように、可動側基材１４の第１の係止部６８と第３のガイド部６２の下端部とに係止される。
【００３８】
（４）回動操作ボタン
【００３９】
シールド位置調整用回動操作部材などのシールド位置調整用操作部材として機能する回動操作ボタン１７は、図９、図１０および図１５〜図２０に示すように、ほぼ円板形状である頭部９７と、この頭部９７の下側に同心状にかつ一体的に結合されているほぼ円板形状である中間部９８と、この中間部９８の下側に一体的に結合されていてこの中間部９８からほぼ下方に向って延在している左右一対の脚部９９ａ、９９ｂとから成っている。そして、頭部９７の上面には、この上面の中心部を通ってこの頭部９７をほぼ貫通した状態で横切っている溝１０１と、この溝１０１の両側に沿ってそれぞれ延在している一対の突条部１０２ａ、１０２ｂとがそれぞれ形成されている。また、中間部９８は、頭部９７よりも径少であって、その外周囲の円周方向における一半部には、複数個（好ましくは、３〜７個、図示の実施例においては、５個）の位置決め用凹部１０３がそれぞれ形成されている。さらに、中間部９８の外周囲の円周方向における他半部には、複数個（好ましくは、３〜７個、図示の実施例においては５個）のストッパ係合用凹部１０４ａ〜１０４ｅがそれぞれ形成されている。なお、位置決め用凹部１０３の個数は、被ストッパ手段または第１の凹凸係合手段としてのストッパ係合用凹部１０４ａ〜１０４ｅの個数と同一であるのが好ましい。そして、第２の凹凸係合手段としての複数個の位置決め用凹部１０３のそれぞれは、互いに同形であってよいので、回動操作ボタン１７の回動中心Ｃ３から互いにほぼ等距離に位置している。また、複数個のストッパ係合用凹部１０４ａ〜１０４ｅのそれぞれは、回動中心Ｃ３から互いに異なる距離に位置しているのが好ましく、図示の実施例においては、ストッパ係合用凹部１０４ａ〜１０４ｅのうちのストッパ係合用凹部１０４ａからストッパ係合用凹部１０４ｂ〜１０４ｄをそれぞれ通してストッパ係合用凹部１０４ｅの順に上記距離が順次大きくなっている。
【００４０】
回動操作ボタン１７の中間部９８には、図１８、図２０などに示すように、複数個の位置決め用凹部１０３と複数個のストッパ係合用凹部１０４ａ〜１０４ｅとの間において、第１および第２の被ストッパ部１０５ａ、１０５ｂのそれぞれがこの中間部９８と一体的に形成されている。なお、これら第１の被ストッパ部１０５ａと第２の被ストッパ部１０５ｂとのそれぞれは、第１の位置決め用突起部１１４と第２の位置決め用突起部１１７とによって、必要以上の回動を制限されるように構成されている。そして、左右一対の脚部９９ａ、９９ｂのそれぞれは、中間部９８からほぼ下方に向かって延在している脚部本体１０６と、この脚部本体１０６の下端部からほぼ横方向におけるほぼ外方に向って突出している係合用突出部１０７とから成っている。また、可動側基材１４の下端付近に配設されている開孔７９には、図２０に示すように、回動操作ボタン１７の中間部９８が嵌合している。そして、この嵌合状態においては、回動操作ボタン１７の左右一対の脚部９９ａ、９９ｂが開孔７９の外周囲において、可動側基材１４のほぼ円形の係合用突条部１０８の内側面に係合している。なお、開孔７９は、外側面の側１０９ａが径大で中間部１０９ｂが径小で内側面の側１０９ｃが中間の大きさの径であってよい。そして、一対の脚部９９ａ、９９ｂの突出部１０７がこの中間部１０９ｂに内側面の側１０９ｃから当接して係止されている。
【００４１】
可動側基材１４においては、図１０、図２０などに示すように、開孔７９の外側面の外周囲には、この外周囲を部分的に取り囲むように、回動操作ボタン１７の回動状態を指示するための複数個（好ましくは、３〜７個、図示の実施例においては、５個）の指示目盛１１１ａ〜１１１ｅがそれぞれ形成されている。なお、上記指示目盛１１１ａ〜１１１ｅにそれぞれ対向し得る指針１１６は、溝１０１とこの溝１０１の左右両側にそれぞれ設けられた左右一対の突条部１０２ａ、１０２ｂとによって構成されている。そして、指示目盛１１１ｂ〜１１１ｅのそれぞれは、図示の実施例においては、横幅が順次大きくなっているそれぞれほぼ台形状の突条部によって構成されている。また、指示目盛１１１ａは、図示の実施例においては、ほぼ三角形状の突条部１１２と、このほぼ三角形状の突条部１１２上をほぼ上下方向に貫通して延在している突条部１１３とによって構成されている。さらに、可動側基材１４の取付け開孔７９には、回動防止手段としての位置決め用突起部１１４がこの可動側基材１４に一体的に形成されている。そして、可動側基材１４には、位置決め用突起部１１４が回動操作ボタン１７の回動中心に対して弾性的にほぼ前後動し得るように、位置決め用突起部１１４の基端部側において、スリット１１５が配設されている。さらに、固定側基材１３に配設されているストッパ部４２は、図１８、図２０などに示すように、回動操作ボタン１７のストッパ係合用凹部１０４ａ〜１０４ｅのうちのいずれか１つに選択的に係合している。なお、この係合は、反撥用コイルスプリング３１ａ、３１ｂが固定側基材１３に対して可動側基材１４を図１８および図２０における左方から右方に弾性的に付勢することによって、確実に行われる。
【００４２】
（５）シールド
【００４３】
シールド４の内側面の左側の端部付近には、図９に示すように、このシールド４の左側の先端部から中央部分側にほぼ向って、ほぼ円弧状の第１の被ガイド部１２１、ほぼ円弧状の第２の被ガイド部１２２およびほぼ円弧状の第３の被ガイド部１２３が順次配設されている。なお、ほぼ円弧状の第１の被ガイド部１２１の仮想の円の中心と、ほぼ円弧状の第２の被ガイド部１２２の仮想の円の中心とのそれぞれは、図９に示すほぼ共通の中心点Ｃ２であるのが好ましい。そして、第１の被ガイド部１２１は、中心点Ｃ２とは反対側の端部がその外側面（すなわち、シールド４の外側面側の面）の側において凹んでいるから、中心点Ｃ２とはほぼ反対側の方向に向ってひさし構造で突出している。したがって、第１の被ガイド部１２１においては、シールド４の内側面からほぼ垂直に立ち上っている基壁部１２４と、この基壁部１２４からシールド４の内側面とはほぼ水平に延びるひさし部１２５とが互いに一体的に構成されている。また、第２の被ガイド部１２２は、図９に示すように、中心点Ｃ２とは反対側の端部がシールド４の外側面側において凹んでいるから、中心点Ｃ２とはほぼ反対側の方向に向ってひさし構造で突出している。したがって、第２の被ガイド部１２２においても、シールド４の内側面からほぼ垂直に立ち上っている基壁部１２６と、この基壁部１２６からシールド４の内側面とはほぼ水平に延びるひさし部１２７とが互いに一体的に構成されている。さらに、第３の被ガイド部１２３は、中心点Ｃ２側の端部がその外側面側において凹んでいるから、中心点Ｃ２の方向に向ってひさし構造で突出している。したがって、第３の被ガイド部１２３においても、シールド４の内側面からほぼ垂直に立ち上っている基部１２８と、この基部１２８からシールド４の内側面とはほぼ水平に延びるひさし部１２９とが互いに一体的に構成されている。
【００４４】
シールド４の内側面には、第２の被ガイド部１２２から僅かな間隔を開けた状態でもって、第４の被ガイド部としての円弧状の被ガイド壁部１３１が配設されている。なお、この円弧状被ガイド壁部１３１の仮想の円の中心も、ほぼ中心点Ｃ２であるのが好ましい。そして、円弧状被ガイド壁部１３１から中心点Ｃ２までの距離は、第２の被ガイド部１２２の基部１２８から中心点Ｃ２までの距離とほぼ同一であるのが好ましい。また、第４のガイド部１３１は、第２のガイド部１２２の基壁部１２６の斜め上方に隣接した位置において、シールド４の内側面に配設されているのが好ましい。さらに、第３の被ガイド部１２３の基部１２８は、横断面がほぼハート形状の柱状体に構成されているのが好ましい。そして、この基部１２８においては、ストッパとしてそれぞれ機能することができる２つの歯部１３２、１３３が、中心線Ｃ２をほぼ向くように、中心点Ｃ２を中心とした共通の円弧上に互いに隣接して配置されている。なお、上記共通の円弧上に配置されている上記歯部１３２、１３３は、必ずしも２つである必要はなく、１つまた３つ以上であってもよい。
【００４５】
（６）シールド取付け機構の組み立て
【００４６】
シールド取付け機構６の組み立てに際しては、
（ア）可動側基材１４に回動操作ボタン１７を取付けること、
（イ）固定側基材１３に可動側基材１４を取付けること、
（ウ）この可動側基材１４にシールド着脱用操作レバー１６を取付けること、
（エ）頭部保護体２の外側面の左右両側にこれら４個の部材１３、１４、１６、１７から成る組み合せ構造の左右一対をそれぞれ取付けること、
（オ）頭部保護体２の左右両側の可動側基材１４にシールド４の左右両側端部の付近をそれぞれ取付けること、
を順次行うことができる。したがって、以下において、シールド取付け機構６の組み立て操作を上記（ア）項〜（オ）項に記載の順序で順次で説明する。なお、右側のシールド取付け機構６は、左側のシールド取付け機構６の組み立てに準じて組み立てることができるから、以下においては、左側のシールド取付け機構６の組み立て操作のみを説明する。
【００４７】
上記（ア）項に記載のように、図１０に示す可動側基材１５に図１０および図２０に示す回動操作ボタン１７を取付けるに際しては、図１９に示すように、可動側基材１４の取付け開孔７９付近の外側面に回動操作ボタン１７の内側面を重ね合せる。そして、可動側基材１４の位置決め用突起部１１４を回動操作ボタン１７の複数個の位置決め用凹部１０３のうちのいずれか１つに位置合せしてから、回動操作ボタン１７を開孔７９に押し込む。このとき、回動操作ボタン１７の左右一対の脚部９９ａ、９９ｂの係合用突出部１０７ａ、１０７ｂが係合用突条部１０８にそれぞれ係止される。そして、可動側基材１４の位置決め用突起部１１４が回動操作ボタン１７のいずれか１つの位置決め用凹部１０３に係合する。
【００４８】
上記（イ）項に記載のように、図９に示す固定側基材１３に図９および図１０に示す可動側基材１４を取付けるに際しては、図１３に示す場合と同様に、固定側基材１３の外側面に可動側基材１４の内側面を重ね合せる。そして、固定側基材１３の上側の上下一対のガイド溝２６ａ、２６ｂおよび下側の上下一対のガイド溝２７ａ、２７ｂに、可動側基材１４の上側の上下一対の被ガイド用突条部５２ａ、５２ｂおよび下側の上下一対の被ガイド用突条部５３ａ、５３ｂをそれぞれ相対的に嵌合させる。このとき、可動側基材１４のガイド用突条部５８が固定側基材１３のガイド溝３５に嵌合する。ついで、固定側基材１３の上下一対のスプリング収容用凹部３２ａ、３２ｂに上下一対の反撥用コイルスプリング３１ａ、３１ｂをそれぞれ収容する。このとき、上側の反撥用コイルスプリング３１ａの両端部をスプリング係合用突起部３３ａ、５０ａにそれぞれ係合させる。また、下側の反撥用コイルスプリング３１ｂの両端部をスプリング係合用突起部３３ｂ、５０ｂにそれぞれ係合させる。この状態においては、可動側基材１４は、図１３に示すように、上下一対の反撥用コイルスプリング３１ａ、３１ｂによってほぼ後方（すなわち、図１３におけるほぼ右側）に向って弾性的に付勢されていて、その復動位置に保持されている。具体的には、可動側基材１４は、図１８、図２０などに示すように、回動操作ボタン１７の複数個のストッパ係合用凹部１０４ａ〜１０４ｅのいずれか一つが固定側基材１３のストッパ部４２に当接することによって、上記復動位置に保持されている。
【００４９】
また、上記（ウ）項に記載のように、図９および図１０に示す可動側基材１４に図９に示すシールド着脱用操作レバー１６を取付けるに際しては、図１４に示すように、可動側基材１４の外側面に操作レバー１６の内側面を重ね合せる。このとき、回動軸部８１が可動側基材１４の貫通孔７３に可動側基材１４の外側面から挿入される。そして、可動側基材１４の内側面から回動軸部８１のねじ挿入孔に抜け止め部材（図示せず）を介して雄ねじ部材（図示せず）をねじ込み固定する。この結果、操作レバー１６は、可動側基材１４に回動可能に軸支される。そして、可動側基材１４のスプリング収容用開孔７６および操作レバー１６のスプリング収容用凹部９３に共通の反撥用コイルスプリング７５を収容する。このとき、反撥用コイルスプリング７５の両端部がスプリング係合用突起部７７、９４にそれぞれ係合する。これとともに、操作レバー１６の被ガイド部９１が可動側基材１４のガイド部５４のガイド用スリット５５に挿入される。そして、操作レバー１６の第３の係止用爪部８５が可動側基材１４の第３のガイド部６２の内側面の側に挿入される。また、操作レバー１６の第５の係止用爪部９６が可動側基材１４の第１の係止部６８の内側面の側に挿入される。さらに、操作レバー１６の第４の係止用爪部９５が可動側基材１４の第２の係止部７４の内側面の側に挿入される。
【００５０】
上述のようにシールド着脱用操作レバー１６が可動側基材１４に回動可能に軸支された状態においては、操作レバー１６は、図１４に示すように、反撥用コイルスプリング７５によって回動軸部８１を支点として図１４における反時計方向に弾性的に付勢されていて、その復回動位置に配されている。そして、操作レバー１６の第１の所定箇所が、固定側基材１３の第２の所定箇所に当接している。この場合、上記第１の所定箇所は、操作レバー１６の指掛け部９２の図９における上側面、その他の当接箇所であってよい。また、上記第２の所定箇所は、可動側基材１４の第３のガイド部６２の図９における上側面、その他の当接箇所（換言すれば、上記第１の所定箇所が当接し得る箇所）であってよい。なお、操作レバー１６は、その指掛け部９２またはその反対側の端部もしくはその他の当接箇所が可動側基材１４の対応する当接箇所に当接するまで、反撥用コイルスプリング７５の弾性付勢力に逆らって往回動することができる。そして、操作レバー１６が上記復回動位置にあるときには、この操作レバー１６の第１の係止用爪部８３は、図１４に示すように、固定側基材１３の高位部３６の上方側の端部付近と可動側基材１４の第１のガイド部５４の前方側の端部付近との間隙１３４をほぼ塞いでいる。また、操作レバー１６の第２の係止用爪部８４は、可動側基材１４の第３のガイド部６２の前端部と第４のガイド部６６の下端部との間隙１３５をほぼ塞いでいる。
【００５１】
また、上記（エ）項に記載のように、図９に示す４個の部材１３、１４、１６、１７から成る組み立て構造を頭部保護体２の外側面の左側に取付ける際には、図９に示す一対の雄ねじ部材２３ａ、２３ｂを固定側基材１３の上下一対のねじ挿通孔２２ａ、２２ｂにそれぞれ挿通させてから、これら一対の雄ねじ部材２３ａ、２３ｂのための図１１に示す一対のねじ孔２５ａ、２５ｂに一対の雄ねじ部材２３ａ、２３ｂをそれぞれねじ込み固定する。この場合、固定側基材１３の上下一対のねじ挿通孔２２ａ、２２ｂがほぼ水平方向に細長い長孔に構成されているから、頭部保護体２に対する固定側基材１３（換言すれば、上記４個の部材１３、１４、１６、１７）のほぼ水平方向（換言すれば、ほぼ前後方向）における取付け位置を、図１９に示すように、或る程度調整することができる。
【００５２】
さらに、上記（オ）項に記載のように、可動側基材１４にシールド４の左側の端部を取付けるに際しては、予め、図１４に示すシールド着脱用操作レバー１６を、反撥用コイルスプリング７５の弾性付勢力に逆らって、回動軸部８１を支点として図１４の時計方向に往回動させてもよい（図６参照）。しかし、操作レバー１６をこのように操作する必要は必ずしもなくて、シールド４の第１の被ガイド部１２１、第２の被ガイド部１２２および第３の被ガイド部１２３を、可動側基材１４の第２のガイド部５６、シールド着脱用操作レバー１６の第２の係止用爪部８４および第１の係止用爪部８３にそれぞれ当てがってから、シールド４の左側の端部付近を可動側基材１４に向って強く押し付けるだけでもよい。この場合、操作レバー１６の第２および第１の係止用爪部８４、８３がシールド４の第２および第３の被ガイド部１２２、１２３によってそれぞれ強く押し付けられるから、操作レバー１６は、上述の往回動操作の場合と同様に、反撥用コイルスプリング７５の弾性付勢力に逆らって往回動する。そして、シールド４の第１の被ガイド部１２１は、可動側基材１４の第２のガイド部５６の開口部５６ａに挿入される。これとともに、シールド４の第２の被ガイド部１２２は、可動側基材１４の間隙６７に配される。そして、シールド４の第４の被ガイド部１３１は、可動側基材１４の第２のガイド溝７２に配される。また、シールド４の第３の被ガイド部１２３のひさし部１２９が、操作レバー１６の係止用爪部８３の外側面を押圧するので、操作レバー１６は、回動軸部８１を支点として、図１４における時計方向に回動する。このために、第３の被ガイド部１２３が間隙１３４に配されるとともに、操作レバー１６は、反撥用コイルスプリング７５の弾性付勢力によって、回動軸部８１を支点として図６における反時計方向に復回動する。したがって、第１の係止用爪部８３は、同様に復回動するので、第３の被ガイド部１２３のひさし部１２９に対向する位置に復帰する。この結果、シールド４の第２および第３の被ガイド部１２２、１２３は、操作レバー１６の第２および第１の係止用爪部８４、８３によって、浮き上り（すなわち、可動側基材１４からの離脱）をそれぞれ防止される。
【００５３】
上述の状態においては、シールド４は、図５に示す全開状態になっている。このために、シールド４の第３の被ガイド部１２３は、固定側基材１３と可動側基材１４とによって形成されている間隙１３４に存在している。そして、この状態においては、可動側基材１４における共通の中心点Ｃ１と、シールド４における共通の中心点Ｃ２とは、可動側基材１４またはシールド４の厚み方向にずれていることを除いて、実質的に互いに同一である。
【００５４】
上述のような上記（ア）項〜（オ）項に記載の組み立て操作によって、シールド取付け機構６を頭部保護体２に取付けることができる。
【００５５】
３、シールド取付け機構の動作
【００５６】
シールド４は、
（ａ）図１および図２に示す全閉状態、
（ｂ）図３に示す１段階開放状態、
（ｃ）図４に示す２段階開放状態、
（ｄ）図５に示す全開状態、
（ｅ）図６に示す取外し可能状態、
（ｆ）図７に示す調整時の状態、
（ｇ）図８に示す調整後の状態、
のそれぞれを少なくとも採ることができる。したがって、以下において、「（１）全閉状態」、「（２）１段階開放状態」、「（３）２段階開放状態」、「（４）全開状態」、「（５）取外し可能状態」、「（６）調整時の状態」および「（７）調整後の状態」に項分けして、図１〜図２０を参照しつつ説明する。
【００５７】
（１）全閉状態
【００５８】
シールド４は、前記２（６）項に記載のようにして可動側基材１４に取付けられた直後には、図５に示す全開状態になっている。そして、指をシールド４の指掛け部１２に掛けるなどして、その左右両端部の共通の中心点Ｃ２をそれぞれ回動中心としてこのシールド４を上方から下方に十分に回動させると、シールド４は図２に示す全閉状態になる。なお、この全閉状態においては、シールド４の下端部が、窓孔用縁部材８の突状部８ａに接触する。そして、シールド４の第１および第２の被ガイド部１２１、１２２が、可動側基材１４の第２および第３のガイド部５６、６２の一方の終端に当接するか、あるいは、当接する直前の状態になる。また、シールド４の第４の被ガイド部１３１は、第１および第２のガイド部７１、７２ならびに間隙１３５から成る移動経路のうちの間隙１３５の付近に位置している。さらに、第３のガイド部１２３は、移動側基材１４のコーナー部１３６に位置している。そして、第３のガイド部１２３の基部１２８の２つの歯部１３２、１３３のうちの一方の歯部１３２は、固定側基材１３のストッパ用凹部３８ａに係合している。したがって、第３の被ガイド部１２３は、可動側基材１４と固定側基材１３との間に挟み込まれて比較的強固に位置保持されているので、シールド４の左側端部は、シールド取付け基材１５によって、頭部保護体２にほぼロック状態で取付けられている。なお、この全開状態から全閉状態へのシールド取付け機構６の動作は、全閉状態から全開状態への動作と実質的にちょうど逆であるから、その詳細の説明は、この項では省略する。さらに、図２に示す全閉状態においては、シールド４の第３の被ガイド部１２３の歯部１３２が固定側基材１３の高位部３６のストッパ用凹部３８ａに相対的に当接しているか、あるいは、このストッパ用凹部３８ａに相対的に近接してその下側に位置している。
【００５９】
（２）１段階開放状態
【００６０】
図２に示す全閉状態において、指掛け部１２にヘルメット装着者などの指を掛けるなどしてシールド４を多少持ち上げると、図３に示す１段階開放状態になる。なお、この１段階開放状態になるときには、シールド４が、共通の中心点Ｃ２を回動中心として、可動側基材１４に対して図２の時計方向に多少往回動する。したがって、シールド４の第１、第２および第４のガイド部１２１、１２２、１３１は、可動側基材１４の第２、第３および第４のガイド部５６、６２、６６にそれぞれガイドされる。これとともに、シールド４の第３のガイド部１２３も、固定側基材１３のカム部３８およびクリック用歯部３７にガイドされる。このために、シールド４の第１〜第４のガイド部１２１〜１２３、１３１は、共通の中心点Ｃ２を回動中心として、図２の時計方向にそれぞれ往回動する。したがって、第３のガイド部１２３の歯部１３２は、図３に示すように、クリック用歯部３７の最下端の凹部に係合する。換言すれば、クリック用歯部３７の最下端の歯部が第３の被ガイド部１２３の一対の歯部１３２、１３３の間の凹部に係合する。この結果、シールド４は、図３に示す１段階開放状態に正確に保持される。
【００６１】
また、図２に示す全閉状態にあるシールド４が図３に示す１段階開放状態になるときには、シールド４の第３のガイド部１２３の一対の歯部１３２、１３３が、固定側基材１３のカム部３８によってほぼ前方側（すなわち、図２のほぼ左側）に押し出されながら時計方向に回動して、クリック用歯部３７の最下端の歯部に乗り上げる。なお、この乗り上げは、可動側基材１４がシールド４をともなって反撥用コイルスプリング３１ａ、３１ｂの弾性付勢力に逆らって固定側基材１３に対してほぼ前方側に向ってほぼ直線的に往動することをともなう。このために、シールド４の１段階開放状態への上昇時には、このシールド４（ひいては、その内側面に必要に応じて取付けられている防曇用補助シールド）は、前方側に例えば３ｍｍ押し出される。したがって、シールド４が１段階開放状態になるときに、シールド４と、必要に応じて取付けられている防曇用補助シールドとが、窓孔用縁部材８（特に、その上側縁部分）に引っ掛かって円滑に上昇できないようになることはない。なお、上記乗り上げに際しては、指掛け部１２にヘルメット装着者などの指を掛けた状態でこの指によってシールド４をほぼ上方に持ち上げればよい。この場合、前記第１項に記載したように、シールド４には、ほぼ前方に向う前記第２の力も加わるので、上述のようなシールド４の１段階開放状態への上昇を円滑に行うことができる。
【００６２】
（３）２段階開放状態
【００６３】
図３に示す１段階開放状態において、シールド４をさらに少し持ち上げると、図４に示す２段階開放状態になる。なお、この２段階開放状態になるときには、シールド４が、共通の中心点Ｃ２を回動中心として、可動側基材１４に対して図３の時計方向にさらに少し回動する。このために、シールド４の第１、第２および第４のガイド部１２１、１２２、１３１のそれぞれは、可動側基材１４の第２、第３および第４のガイド部５６、６２、６６にさらにガイドされる。これとともに、シールド４の第３のガイド部１２３も、固定側基材１３のクリック用歯部３７にさらにガイドされる。したがって、シールド４の第１〜第４のガイド部１２１〜１２３、１３１のそれぞれは、共通の中心点Ｃ２を回動中心として、図３の時計方向に往回動する。この結果、第３のガイド部１２３の一対の歯部１３２、１３３は、図４に示すように、クリック用歯部３７の最下端の凹部よりも１つ上の凹部と最下端の凹部とにそれぞれ係合する。換言すれば、クリック用歯部３７の最下端の歯部よりも１つ上の歯部が第３の被ガイド部１２３の一対の歯部１３２、１３３の間の凹部に係合する。このために、シールド４は、図４に示す２段階開放状態に正確に保持される。
【００６４】
（４）全開状態
【００６５】
図４に示す２段階開放状態において、シールド４をさらに大幅に持ち上げると、図５に示す全開状態（すなわち、最大開放状態）になる。なお、この全開状態になるときには、シールド４が、共通の中心点Ｃ２を回動中心として、可動側基材１４に対して図４の時計方向にさらに大幅に往回動する。そして、この図５に示す全開状態は、前記２（６）項において前記（オ）項に記載の操作について説明した頭部保護体２へのシールド４の取付け直後の状態と実質的に同一であるから、ここでは、その詳細な説明は省略する。なお、この図５に示す全開状態においては、シールド４の第３の被ガイド部１２３は、固定側基材１３のクリック用歯部３７を通過してこのクリック用歯部３７の上方に位置している。したがって、シールド４と、必要に応じて取付けられている防曇用補助シールドとのそれぞれの回動中心である共通の中心点Ｃ２は、１段階開放状態から全開状態のうちで、後方側にもっとも引っ込んだ位置に保持される。また、この全開状態においては、可動側基材１４は、この可動側基材１４に取付けられている回動操作ボタン１７のストッパ係合用凹部１０４ａ〜１０４ｅのうちのいずれか１つが固定側基材３１のストッパ部４２に当接することによって、位置保持されている。そして、シールド４が上述のように１段階開放状態から全開状態に持ち上げられたときには、シールド４と必要に応じて取付けられる防曇用補助シールドとが頭部保護体２から必要以上に前方に突出するのを防止することができるから、シールド４が走行風によってあおられるのを或る程度防止することができる。なお、上記位置保持は、前記（１）項に記載した全閉状態においても、同様に行われる。
【００６６】
（５）取外し可能状態
【００６７】
図５に示す全開状態において、シールド着脱用操作レバー１６を、反撥用コイルスプリング７５の弾性付勢力に逆らって、回動軸部８１を支点として図５の時計方向に往回動させると、図６に示す取外し可能状態になる。なお、この取外し可能状態は、前記２（６）項において前記（オ）項に記載の操作について説明したシールド着脱用操作レバー１６の往回動操作の状態と実質的に同一であるから、ここでは、その詳細な説明は省略する。そして、この図６に示す取外し可能状態においては、前記２（６）項において前記（オ）項に記載の操作について説明したのとは逆の操作を行うことによって、シールド４の左側の端部を可動側基材１４から容易に取外すことができる。
【００６８】
さらに、この取外し可能状態においては、前記（４）項に記載したように、可動側基材１４に取付けられている回動操作ボタン１７の被ストッパ係合用凹部１０４ａ〜１０４ｅのうちのいずれか１つが固定側基材１３のストッパ部４２に当接しているから、可動側基材１４は固定側基材１３に対して完全に復動している。このために、シールド４を可動側基材１４から取外す前後で、可動側基材１４が反撥用コイルスプリング３１ａ、３１ｂの弾性付勢力によって固定側基材１３に対してさらに復動する恐れはない。そして、このことは、シールド４を可動側基材１４に取付ける前後でも、同様である。したがって、可動側基材１４に対するシールド４の取付け操作および取外し操作のいずれもを簡単かつ確実に行うことができる。
【００６９】
（６）調整時の状態
【００７０】
シールド４は、回動操作ボタン１７を操作することによって、図１、図２および図８に示す全閉状態における窓孔縁部材８に対するシールド４のほぼ前後方向の位置を調整することができる。なお、この調整に際しては、シールド４は、ヘルメット装着者などが回動操作ボタン１７を操作することができるように、２段階開放状態と全開状態を除く３段階以上の開放状態とのうちのいずれか１つの状態（すなわち、２段階〜６段階のうちのいずれか１つの開放状態）に予め持ち来たされている必要がある。例えば、図７に示す２段階開放状態における上記調整操作を説明すると、固定側基材１３のストッパ部４２は、回動操作ボタン１７のストッパ係合用凹部１０４ａ〜１０４ｅのいずれからも離脱している。したがって、ねじ回し（図示せず）などを回動操作ボタン１７の溝１０１に係合させてから、上記ねじ回しを回動させると、位置決め用突起部１１４が複数の位置決め用凹部１０３のうちの１つから別の１つに係合状態を変化させる。なお、上記離脱状態は、全閉状態および全開状態をそおれぞれ除く１段階〜６段階の開放状態においても、同様に生じている。
（７）調整後の状態
上記（６）項に記載した調整時の状態からシールド４を全閉状態にすると、固定側基材１３のストッパ部４２は、上記調整時よりも以前に係合していたストッパ係合用凹部１０４ａ〜１０４ｅのうちのいずれか１つから別の１つに新たに係合する。この場合、ストッパ係合凹部１０４ａ〜１０４ｅのそれぞれの位置は、回動操作ボタン１７の回動中心Ｃ３からの距離が例えば０．２５ｍｍずつ順次小さくなっている。このために、固定側基材１３に対する回動操作ボタン１７（ひいては、可動側基材１４）の上記全閉状態におけるほぼ前後方向の位置は、上記調整時よりも以前の状態に較べて、０．２５Ｘｍｍ（ただし、上記Ｘは、調整後に係合しているストッパ係合用凹部１０４ａ〜１０４ｅが調整前に係合していたストッパ係合用凹部１０４ａ〜１０４ｅから幾つ目の凹部１０４ａ〜１０４ｅだけ離れているのかを示す数字を意味している。）だけほぼ前方またはほぼ後方に移動している。したがって、上記調整によって、全閉状態における頭部保護体２に対するシールド４のほぼ前後方向の位置を上記０．２５Ｘｍｍの範囲内で所望の位置に調整することが可能である。
【００７１】
以上において、本発明の一実施例について詳細に説明したが、本発明は、この実施例に限定されるものではなく、特許請求の範囲に記載された発明の趣旨に基づいて各種の変更および修正が可能である。
【００７２】
例えば、上述の実施例においては、フルフェイス型ヘルメット１に本発明を適用したが、顎覆い部が上昇可能なジェット型兼用のフルフェイス型ヘルメット、ジェット型ヘルメット、セミジェット型ヘルメットなどにも、本発明を適用することができる。
【００７３】
また、上述の実施例においては、シールド位置調整用操作部材をシールド位置調整用回動操作部材１７から構成した。しかし、上記シールド位置調整用操作部材１７は、回動操作式のものである必要は必ずしもなく、ほぼ直線往復動操作されるものや任意の曲線に沿って往復動操作されるものなどの各種の構成のものであってよい。
【００７４】
また、上述の実施例においては、複数個であってもよい単一の位置保持用箇所（具体的には、ストッパ部４２）を固定側基材１３の側に有するストッパ手段を設けるとともに、複数個の位置保持用箇所（具体的には、ストッパ係合用凹部１０４ａ〜１０４ｅ）を可動側基材１４の側に有する被ストッパ手段を設けた。しかし、可動側基材１４に単一または複数個の位置保持用箇所を有する被ストッパ手段を設けるとともに、固定側基材１３に複数個の位置保持用箇所を有するストッパ手段を設けてもよい。また、この場合、上記ストッパ手段１０４ａ〜１０４ｅと複数個の位置決め用凹部１０３とを回動操作ボタン１７のような共通の部材に設けることもできる。
【００７５】
また、上述の実施例においては、弾性付勢手段または弾性付勢部材として反撥用コイルスプリング３１ａ、３１ｂ、７５を用いた。しかし、これら３個の弾性付勢手段３１ａ、３１ｂ、７５のうちの１個、２個または３個全部は、牽引用コイルスプリングであってもよく、また、コイルスプリング以外のリーフスプリングなどの別のスプリングなどであってもよい。
【００７６】
さらに、上述の実施例においては、シールド着脱用操作部材１６は、往復回動可能な操作レバーによって構成されている。しかし、この操作部材１６は、直線往復動可能な部材によって構成されることもでき、また、往復回動または直線往復動以外の往復動が可能な部材によっても構成されることもできる。
【符号の説明】
【００７７】
２        フルフェイス型頭部保護体
４        シールド
６        シールド取付け機構
１２      指掛け部
１３      固定側基材
１４      可動側基材
１５      シールド取付け基材
１６      シールド着脱用操作レバー（シールド着脱用操作部材）
１７      シールド位置調整用回動操作ボタン（回動操作用ロータ、回動操作用セレクタ、回動操作部材）
３１      反撥用コイルスプリング（弾性付勢手段）
３１ａ    反撥用コイルスプリング（弾性付勢手段）
３１ｂ    反撥用コイルスプリング（弾性付勢手段）
３７      クリック用歯部
３８ａ    ストッパ用凹部
３８ｂ    傾斜面
３９      カム面
４２      ストッパ部（ストッパ手段、前後進位置決め手段）
１０３    位置決め用凹部（第２の凹凸係合手段）
１０４ａ  ストッパ係合用凹部（被ストッパ手段、第１の凹凸係合手段）
１０４ｂ  ストッパ係合用凹部（被ストッパ手段、第１の凹凸係合手段）
１０４ｃ  ストッパ係合用凹部（被ストッパ手段、第１の凹凸係合手段）
１０４ｄ  ストッパ係合用凹部（被ストッパ手段、第１の凹凸係合手段）
１０４ｅ  ストッパ係合用凹部（被ストッパ手段、第１の凹凸係合手段）
１１４    位置決め用突起部（回動防止手段）
１２３    第３の被ガイド部（カム用ならい部）
【図１】
2014234568.tif 000003
【図２】
2014234568.tif 000004
【図３】
2014234568.tif 000005
【図４】
2014234568.tif 000006
【図５】
2014234568.tif 000007
【図６】
2014234568.tif 000008
【図７】
2014234568.tif 000009
【図８】
2014234568.tif 000010
【図９】
2014234568.tif 000011
【図１０】
2014234568.tif 000012
【図１１】
2014234568.tif 000013
【図１２】
2014234568.tif 000014
【図１３】
2014234568.tif 000015
【図１４】
2014234568.tif 000016
【図１５】
2014234568.tif 000017
【図１６】
2014234568.tif 000018
【図１７】
2014234568.tif 000019
【図１８】
2014234568.tif 000020
【図１９】
2014234568.tif 000021
【図２０】
2014234568.tif 000022